(57)【要約】【課題】光源部を有する灯具と、前記光源部に電力を供給して前記灯具を点灯させる電源部と、前記灯具及び前記電源部を支持する器具本体とを備える照明器具であって、組立作業の容易な照明器具を提供する。【解決手段】支柱（器具本体）４は、一方に延出し、且つ互いに対向して配置される一対の側面部４１・４１と、一対の側面部４１・４１における、幅方向の中途部において、前記一対の側面部４１・４１の間隙に生じる空間部５０を前記幅方向に分割し、且つ一対の側面部４１・４１を継合する継合部４２とを有し、灯具２は、一対の側面部４１・４１の間隙における継合部４２の前面４２ａに支持されるとともに、電源部３は、一対の側面部４１・４１の間隙における継合部４２の背面４２ｂに支持される。【選択図】図２
2019192341.tif 000002
【特許請求の範囲】
【請求項１】
光源部を有する灯具と、前記光源部に電力を供給して前記灯具を点灯させる電源部と、前記灯具及び前記電源部を支持する器具本体とを備える照明器具であって、
前記器具本体は、
一方に延出し、且つ互いに対向して配置される一対の側面部と、
前記一対の側面部における、幅方向の中途部において、前記一対の側面部の間隙に生じる空間部を前記幅方向に分割し、且つ前記一対の側面部を継合する継合部とを有し、
前記灯具は、前記一対の側面部の間隙における前記継合部の一方の平面に支持されるとともに、
前記電源部は、前記一対の側面部の間隙における前記継合部の他方の平面に支持される、
ことを特徴とする照明器具。
【請求項２】
前記一対の側面部は、矩形板状を有し、
前記継合部は、矩形板状を有し、
前記一対の側面部における、延出方向及び対向方向と直交する幅方向の中央部において、前記継合部は、前記幅方向が厚み方向となるようにして配置され、
前記器具本体は、断面視において「Ｈ」字形状を有する、
ことを特徴とする請求項１に記載の照明器具。
【請求項３】
前記灯具は、前記一対の側面部の対向方向を軸方向とする回動軸を中心にして回動可能に、前記継合部に支持される、
ことを特徴とする、請求項１または請求項２に記載の照明器具。
【請求項４】
前記一対の側面部の間隙における前記継合部の他方の平面において、
前記電源部と隣接して支持される灯具をさらに備える、
ことを特徴とする、請求項１〜請求項３の何れか一項に記載の照明器具。
【請求項５】
前記灯具は、
前記一対の側面部と前記継合部とによって囲まれた空間部内に収納可能に支持される、
ことを特徴とする、請求項１〜請求項４の何れか一項に記載の照明器具。
【請求項６】
前記灯具は、
前記一対の側面部の延出方向に沿って、照明光を照射可能に支持される、
ことを特徴とする、請求項１〜請求項５の何れか一項に記載の照明器具。
【請求項７】
前記電源部は、照明器具の外部に設けられる外部電源と電気的に接続する電気配線部を有し、
前記電気配線部は、前記一対の側面部の端部に着脱可能に取付けられる蓋体によって閉塞される、
ことを特徴とする、請求項１〜請求項６の何れか一項に記載の照明器具。
【発明の詳細な説明】
【技術分野】
【０００１】
本発明は、照明器具の技術に関する。
【背景技術】
【０００２】
従来、屋外の遊歩道や庭園、或いは住宅等の建物の外構などを照らす照明器具として、主に地面に立設される支柱（器具本体）と、前記器具本体の上端部に支持される光源部とを備えるポール灯が知られている。
ポール灯の一例として、特許文献１の第三の実施形態において、庭園灯が開示されている。特許文献１の庭園灯では、アルミニウムの押出加工によって、略「コ」字形状の断面形状を有しつつ一方（例えば前後方向）に延出するように一体成形された、器具本体を備えている。
【先行技術文献】
【特許文献】
【０００３】
【特許文献１】特開２０１０−１２９３０６号公報
【発明の概要】
【発明が解決しようとする課題】
【０００４】
特許文献１に開示される照明装置において、光源部及び電源部等は、器具本体における一対の側面部の間隙に配置された状態にて、当該器具本体に支持される。
特許文献１における照明装置は、器具本体における一対の側面部の間隙に取付板を別途設けて、第一空間部と第二空間部とに隔絶することができる。第一空間部は、断面視において、略「コ」字形状の断面形状の開口側に位置する。第二空間部は、前記開口の反対側に位置し、断面視において、器具本体及び取付板によって周囲を囲まれた空間部である。
特許文献１における照明装置は、第一空間部に光源部を配置し、第二空間部に光源部に電力を供給する電源部等を配置する。
【０００５】
このように、特許文献１における照明装置は、器具本体の断面形状が略「コ」字形状に形成されていることから、当該器具本体における一対の側面部の間隙を二つの空間部に隔絶するための取付板が別途必要であり、部品点数が増加し、組立作業が複雑になる傾向にあった。
また、アルミニウムの押出加工によって一体成形された、略「コ」字形状の断面形状を有する器具本体においては、組立作業の途中において一対の側面部が変形してしまうと、取付板の組付け作業が困難となる可能性があった。
【０００６】
本発明は、以上に示した現状の問題点に鑑みてなされたものであり、光源部を有する灯具と、前記光源部に電力を供給して前記灯具を点灯させる電源部と、前記灯具及び前記電源部を支持する器具本体とを備える照明器具であって、組立作業の容易な照明器具を提供することを課題とする。
【課題を解決するための手段】
【０００７】
本発明の解決しようとする課題は以上の如くであり、次にこの課題を解決するための手段を説明する。
【０００８】
即ち、本発明に係る照明器具は、光源部を有する灯具と、前記光源部に電力を供給して前記灯具を点灯させる電源部と、前記灯具及び前記電源部を支持する器具本体とを備える照明器具であって、前記器具本体は、一方に延出し、且つ互いに対向して配置される一対の側面部と、前記一対の側面部における、幅方向の中途部において、前記一対の側面部の間隙に生じる空間部を前記幅方向に分割し、且つ前記一対の側面部を継合する継合部とを有し、前記灯具は、前記一対の側面部の間隙における前記継合部の一方の平面に支持されるとともに、前記電源部は、前記一対の側面部の間隙における前記継合部の他方の平面に支持されることを特徴とする。
【０００９】
また、本発明に係る照明器具において、前記一対の側面部は、矩形板状を有し、前記継合部は、矩形板状を有し、前記一対の側面部における、延出方向及び対向方向と直交する幅方向の中央部において、前記継合部は、前記幅方向が厚み方向となるようにして配置され、前記器具本体は、断面視において「Ｈ」字形状を有することが好ましい。
【００１０】
また、本発明に係る照明器具において、前記灯具は、前記一対の側面部の対向方向を軸方向とする回動軸を中心にして回動可能に、前記継合部に支持されることが好ましい。
【００１１】
また、本発明に係る照明器具は、前記一対の側面部の間隙における前記継合部の他方の平面において、前記電源部と隣接して支持される灯具をさらに備えることが好ましい。
【００１２】
また、本発明に係る照明器具において、前記灯具は、前記一対の側面部と前記継合部とによって囲まれた空間部内に収納可能に支持されることが好ましい。
【００１３】
また、本発明に係る照明器具において、前記灯具は、前記一対の側面部の延出方向に沿って、照明光を照射可能に支持されることが好ましい。
【００１４】
また、本発明に係る照明器具において、前記電源部は、照明器具の外部に設けられる外部電源と電気的に接続する電気配線部を有し、前記電気配線部は、前記一対の側面部の端部に着脱可能に取付けられる蓋体によって閉塞されることが好ましい。
【発明の効果】
【００１５】
本発明の効果として、以下に示すような効果を奏する。
即ち、本発明に係る照明器具によれば、容易に組立作業を行うことができる。
【図面の簡単な説明】
【００１６】
【図１】本発明の一実施形態に係る照明器具の全体構成を示した図であって、（ａ）は前側から見た斜視図であり、（ｂ）は後側から見た斜視図である。
【図２】本発明の一実施形態に係る照明器具の全体構成を示した図であって、図１中の矢視Ａの方向に見た断面側面図である。
【図３】本発明の一実施形態に係る照明器具の全体構成を示した平面図である。
【図４】本発明の別実施形態に係る照明器具の全体構成を示した図であって、（ａ）は前側から見た斜視図であり、（ｂ）は後側から見た斜視図である。
【図５】本発明の別実施形態に係る照明器具の全体構成を示した図であって、図４中の矢視Ｂの方向に見た断面側面図である。
【発明を実施するための形態】
【００１７】
次に、本発明の実施形態について、図１乃至図５を用いて説明する。
なお、以下の説明に関しては便宜上、図１乃至図５中に示した矢印の方向によって、照明器具１（または、別実施形態における照明器具１０１）の前後方向、左右方向、及び上下方向を規定して記述する。
【００１８】
［照明器具１の構成］
先ず、本発明を具現化する一実施形態の照明器具１の構成について、図１乃至図３を用いて説明する。
【００１９】
本実施形態における照明器具１は、例えば、上下方向に延出する器具本体４を地面に立設させて、器具本体４の上端部側に配置される灯具２から照明光を照射することにより、屋外の遊歩道や庭園、或いは住宅等の建物の外構などを照らすポール灯として利用されるものである。
【００２０】
照明器具１は、図１（ａ）及び図１（ｂ）に示すように、主に灯具２、灯具２を点灯させる電源部３、及びこれらの灯具２及び電源部３を支持する器具本体の一例である支柱４などを備える。
【００２１】
灯具２は、例えば円柱形状の灯具本体２１を有し、図２に示すように、灯具本体２１には、光源部２２が配置されている。
【００２２】
光源部２２は、例えばＬＥＤ（Ｌｉｇｈｔ  Ｅｍｉｔｔｉｎｇ  Ｄｉｏｄｅ）が基板に実装された、ＬＥＤモジュールにより構成される。本実施形態では、ＣＯＢ（Ｃｈｉｐ  ｏｎ  Ｂｏａｒｄ）型ＬＥＤモジュールを用いた。光源の種類はそれに限定されず、例えば表面実装型のＬＥＤ素子や有機ＥＬ素子（ＯＬＥＤ）などであっても実現可能である。
【００２３】
後述するように、光源部２２は、第一ケーブル５（図２中における、二点鎖線の矢印によって表示）を介して電源部３と電気的に接続されている。電源部３から光源部２２へ電力が供給されて、灯具２は照明光Ｌを照射する。
【００２４】
なお、以下の説明において、「照明光Ｌの照射方向」とは、光源部２２から照射される照明光Ｌの光束のうち、光軸Ｌａの照射方向を意味するものとする。
【００２５】
灯具本体２１において、光源部２２が照射する側とは反対側の端部に支持部材２３が設けられる。灯具２は、支持部材２３を介して支柱４に支持される。
【００２６】
支持部材２３は、例えば一方（本実施形態においては、前後方向）に延出する部材からなる。支持部材２３は、延出方向の一端部（前端部）において、回動軸２３ａを中心にして回動可能に灯具本体２１と連結される。支持部材２３は、延出方向の他端部（後端部）において、ボルト等の締結部材を介して支柱４に取り付けられる。これにより、灯具２は、支持部材２３を介して支柱４に支持されるとともに、回動軸２３ａを中心にして灯具本体２１を回動させることができる。灯具２は、後述するように、灯具本体２１を回動させることにより、照明光Ｌの照射方向を調整することができる。
【００２７】
次に、電源部３について説明する。
電源部３は、電源回路部３１及び電気配線部３２等を有する。電源回路部３１は、第一ケーブル５を介して灯具２と電気的に接続される。電源回路部３１及び電気配線部３２は、第二ケーブル６（図２中における、実線の矢印によって表示）を介して電気的に接続される。電気配線部３２は、第三ケーブル７（図２中における、破線の矢印によって表示）を介して照明器具１の外部に設けられる外部電源（図示せず）と電気的に接続される。
【００２８】
電源回路部３１は、例えば矩形箱形状の筐体３１ａに収容される。電源回路部３１は、外部電源から供給される交流電圧を所定の直流電圧に変換し、または高圧直流電圧を低圧直流電圧に減圧する機能を有する電気回路３１ｂ等により構成される。また、電気配線部３２は、主に端子台３２ａ等により構成される。
【００２９】
電気回路３１ｂは、第一ケーブル５及び第二ケーブル６を介して、灯具２の光源部２２、及び電気配線部３２の端子台３２ａと各々電気的に接続される。そして、端子台３２ａは、第三ケーブル７を介して、外部電源と電気的に接続される。これにより、電気配線部３２（より具体的には、端子台３２ａ）を介して、外部電源から電気回路部３１（より具体的には、電気回路３１ｂ）に入力された電力は、電気回路３１ｂによって一旦変換される（または減圧される）。その後、電源回路部３１から光源部２２に電力が供給されて、灯具２が点灯される。
【００３０】
次に、支柱４について説明する。
支柱４は、主に図２及び図３に示すように、一方に延出し、且つ互いに対向して配置される一対の側面部４１・４１と、一対の側面部４１・４１における、幅方向の中途部において、一対の側面部４１・４１の間隙に生じる空間部を幅方向に分割し、且つ一対の側面部４１・４１を継合する継合部４２とを有する。本実施形態の支柱４では、一方に延出し、且つ互いに対向して配置される一対の矩形板状の側面部４１・４１を有する。一対の側面部４１・４１における、延出方向及び対向方向と直交する幅方向の中央部において、前記幅方向が厚み方向となるようにして配置され、且つ一対の側面部４１・４１を継合する矩形板状の継合部４２とを有する、所謂断面視「Ｈ」字形状の部材により構成される。そして、例えば本実施形態においては、前記「延出方向」を上下方向とし、前記「対向方向」を左右方向とし、且つ前記「幅方向」を前後方向とした状態によって、支柱４は地面に立設される。
【００３１】
なお、支柱４の構成については、本実施形態に示されるような所謂断面視「Ｈ」字形状の部材からなるものに限定されるものではない。即ち、支柱４の構成については、少なくとも、対向して配置される一対の側面部４１・４１、及びこれら一対の側面部４１・４１を幅方向（前後方向）の中途部にて継合する継合部４２を有する構成であれば、何れのような構成であってもよい。
【００３２】
本実施形態では継合部４２を側面部４１・４１の幅方向の中央部に設けた。継合部４２を中央部に設けることによって、側面部４１における継合部４２との交点から両端部の距離が等しい。仮に、側面部４１のどちらか一方の端部側に偏在するように継合部４２を設けた場合には、継合部４２を中央部に設けた場合よりも、側面部４１において継合部４２との交点からの距離が長い端部が生じる。側面部４１の端部に対して「対向方向」に荷重を加えた場合、継合部４２との交点（支点）からの距離が長くなるほど側面部４１は変位または変形しやすい。そのため、継合部４２は、側面部４１の中央部に設ける方が、側面部４１のいずれか一方の端部側に偏在する位置に設けるよりも、変形しにくいため好ましい。
【００３３】
また、対向して配置される３枚以上の側面部４１・４１・・・、及びこれらの側面部４１・４１・・・を幅方向（前後方向）の中途部にて各々継合する２枚以上の継合部４２・４２・・・を有する部材によって、支柱４を構成することとしてもよい。あるいは、対向して配置される一対の側面部４１・４１、及びこれら一対の側面部４１・４１を幅方向（前後方向）の中央部にて継合する、互いに対向して配置される２枚以上の継合部４２・４２・・・を有する部材によって、支柱４を構成することとしてもよい。
【００３４】
また、本実施形態では対向する側面部４１・４１を並行となるように配置したが、これに限られない。例えば、対向する側面部４１・４１同士が任意の角度となるように配置してもよい。また、本実施形態では側面部４１を矩形板状となるように形成したが、これに限らず、曲面を有するように形成してもよい。
【００３５】
本実施形態における支柱４は、防錆性や放熱性等を考慮して、例えばアルミニウムの金属素材を用いて一体成形される。
なお、支柱４の素材については、本実施形態に限定されることはなく、例えば、鉄鋼等の金属素材や、熱硬化性樹脂等の非金属素材などであってもよい。
【００３６】
以上のような構成からなる支柱４において、灯具２は、一対の側面部４１・４１の間隙における、継合部４２の一方の平面（本実施形態においては、照明器具１の前面側の面）４２ａに支持される。電源部３は、一対の側面部４１・４１の間隙における、継合部４２の他方の平面（本実施形態においては、照明器具１の背面側の面）４２ｂ側に配置される。このとき、灯具２と電源部３とは、継合部４２を挟んで前後方向で重なる位置に配置された場合、灯具２と電源部３とを接続する第一ケーブル５の距離を短く設定することができる。また、このような構成は、第一ケーブル５を照明器具１の外側に露出させないため、好ましい。照明器具１の外側に第一ケーブル５を露出させないことは、紫外線や雨滴などの外部環境からの影響を第一ケーブル５に与えにくく、また、照明器具１の運搬や梱包の際に第一ケーブル５が邪魔にならずハンドリング性がよい。
【００３７】
具体的には、図３に示すように、支柱４における一対の側面部４１・４１の間隙寸法（図３中における寸法Ｘ）は、灯具２における灯具本体２１の外径（図３中における寸法Ｙ）に比べて大きくなるように設定されている（Ｘ＞Ｙ）。そして、図２に示すように、灯具２は、これら一対の側面部４１・４１の間隙において、支持部材２３を介して、前記一対の側面部４１・４１の対向方向（左右方向）を軸方向とする回動軸２３ａを中心にして回動可能に、継合部４２の前面４２ａの上端部側に支持される。
【００３８】
このような構成を有することにより、本実施形態においては、灯具２から照射される照明光Ｌの照射方向を、回動軸２３ａを中心とする、回動方向Ｐ１に沿って、自由に調整可能な構成となっている。また、支持部材２３は支持部材２３が延びる方向（照明器具１の幅方向）を通る中心線を中心として回動させることができる。支持部材２３を回動させることによって、灯具２を図２に示す灯具２の位置から反転させることができる。灯具２を反転させることによって、上方へ照明光Ｌを照射させることができる。従って、灯具２は、支持部材２３の端部を中心に支柱４の延出方向に１８０度回動可動な構成とすることができる。
【００３９】
ここで、灯具２の姿勢を、例えば略下方に光源部２２を向けた姿勢に調整することにより、灯具２は、支柱４における一対の側面部４１・４１の延出方向（本実施形態においては上下方向）に沿って、下方に向かって照明光Ｌを照射可能な状態にて支柱４に支持された状態となる。
【００４０】
このような姿勢に灯具２を調整することにより、灯具２から照射された照明光Ｌは、当該灯具２が配置される継合部４２の前面４２ａ等に反射することとなり、間接照明の効果を得ることができる。
【００４１】
なお、本実施形態においては、例えば灯具２の姿勢を、支柱４の延出方向（上下方向）に沿って灯具本体２１が配置された状態に調整することにより、灯具２は、一対の側面部４１・４１の内面４１ａ・４１ａと、継合部４２の前面４２ａとによって囲まれた空間部５０（図３を参照）内において、灯具２の少なくともその一部が収納された状態となるように構成されている。本実施形態のように灯具２が支柱４の空間部５０内に、完全に収納された状態となるように構成してもよい。
【００４２】
このような構成を有することにより、例えば組立作業が完了した照明器具１を出荷先へ搬送する場合などにおいて、外部からの衝撃等が不意に灯具２に加えられるのを、一対の側面部４１・４１によって極力防止することができる。
また、支柱４の空間部５０内に灯具２の少なくともその一部が収納できるため、灯具２の支柱４から露出する部分を少なくすることができる。これにより、照明器具１の梱包箱を小型化することができる。
【００４３】
一方、電源部３は、これら一対の側面部４１・４１の間隙において、継合部４２の背面４２ｂの上端部側に配置される。この際、電源部３を構成する電気回路部３１は、例えば矩形箱形状の電源ケース３３内に固設された状態にて、当該電源ケース３３を介して継合部４２に支持される。また、電源部３を構成する電気配線部３２は、電源ケース３３の下方、且つ当該電源ケース３３と隣接する位置において、継合部４２に支持されるとともに、一対の側面部４１・４１の端部に着脱可能に取付けられる蓋体３４によって閉塞される。
【００４４】
このように、本実施形態においては、照明器具１の外部に対して、電源部３を構成する電気回路部３１及び電気配線部３２が、電源ケース３３及び蓋体３４によって、各々密閉された状態となっており、外部からの粉塵や水滴等の侵入を抑制可能な構成となっている。
また、電源部３が継合部４２の上端部側に配置されることによって、電源部３を地面から離して配置することができる。これにより、地面側から舞い上がる粉塵に対する電源部３への影響を受けにくくすることができる。
【００４５】
また、一対の側面部４１・４１に対して着脱可能な蓋体３４によって、電気配線部３２を閉塞することができる。これにより、支柱４から蓋体３４を取り外すことで、電気配線部３２を露出させることができるため、支柱４から電源部３や電気配線部３２を取り外すことなく、電気配線部３２と外部電源（図示せず）との配線作業を容易に行うことができる。
【００４６】
［別実施形態における照明器具１０１の構成］
次に、別実施形態における照明器具１０１の構成について、図４乃至図５を用いて説明する。
【００４７】
別実施形態における照明器具１０１は、前述した照明器具１と略同等な構成を有する一方、支柱１０４の背面側（後側）に第二灯具１１０が別途追加されている点について、照明器具１と相違する。よって、以下の説明においては、主に前述した照明器具１との相違点について記載し、当該照明器具１と同等な構成についての記載は省略する。
【００４８】
照明器具１０１は、図４（ａ）及び図４（ｂ）に示すように、主に第一灯具１０２、第二灯具１１０、これらの第一灯具１０２及び第二灯具１１０を点灯させる電源部１０３、並びに器具本体の一例である支柱１０４などを備える。
【００４９】
第一灯具１０２は、前述した照明器具１の灯具２と同等の構成からなる。また、第二灯具１１０は、灯具２と略同等な構成を有する一方、一部構成が相違する。
【００５０】
具体的には、第二灯具１１０は、例えば円柱形状の灯具本体１１１を有し、図５に示すように、灯具本体１１１の他端部（光源部１１２が設けられる側と反対側の端部）には、支持部材１１３が設けられる。第二灯具１１０は、支持部材１１３を介して電源部１０３に支持される。
【００５１】
支持部材１１３は、例えば一方（本実施形態においては、上下方向）に延出する部材からなる。支持部材１１３は、延出方向の一端部（上端部）において、回動軸１１３ａを中心にして回動可能に灯具本体１１１と連結される。支持部材１１３は、延出方向の他端部（下端部）において、ボルト等の締結部材を介して電源部１０３（電源ケース１３３）の上面に固設される。これにより、第二灯具１１０は、支持部材１１３を介して電源部１０３に支持されるとともに、回動軸１１３ａを中心にして灯具本体１１１を回動させることができる。第二灯具１１０を回動させることにより、照明光Ｌの照射方向を、当該回動軸１１３ａを中心とする回動方向Ｐ２に沿って調整することができる。
【００５２】
電源部１０３は、第一電源回路部１３１、第二電源回路部１３５、及び電気配線部１３２等を有する。
【００５３】
第一電源回路部１３１及び電気配線部１３２は、第六ケーブル１０７（図５中における、実線の矢印によって表示）を介して電気的に接続される。また、第二電源回路部１３５及び電気配線部１３２は、第七ケーブル１０８（図５中における、実線の矢印によって表示）を介して電気的に接続される。
【００５４】
そして、第一電源回路部１３１は、第四ケーブル１０５（図５中における、二点鎖線の矢印によって表示）を介して第一灯具１０２と電気的に接続される。また、第二電源回路部１３５は、第五ケーブル１０６（図５中における、二点鎖線の矢印によって表示）を介して第二灯具１１０と電気的に接続される。さらに、電気配線部１３２は、第八ケーブル１０９（図５中における、破線の矢印によって表示）を介して照明器具１０１の外部に設けられる外部電源（図示せず）と電気的に接続される。
【００５５】
第一電源回路部１３１及び第二電源回路部１３５は、前述した照明器具１の電源回路部３１と同等の構成からなる。また、電気配線部１３２は、前述した照明器具１の電気配線部１３２と同等の構成からなる。
【００５６】
第一電源回路部１３１の電気回路１３１ｂは、第四ケーブル１０５及び第六ケーブル１０７を介して、第一灯具１０２の光源部１２２、及び電気配線部１３２の端子台１３２ａと各々電気的に接続される。そして、端子台１３２ａは、第八ケーブル１０９を介して、外部電源と電気的に接続される。これにより、電気配線部１３２（より具体的には、端子台１３２ａ）を介して、外部電源から第一電気回路部１３１（より具体的には、電気回路１３１ｂ）に入力された電力は、電気回路１３１ｂによって一旦変換される（または減圧される）。その後、第一電気回路部１３１から第一灯具１０２（より具体的には、光源部１２２）に電力が供給されて、第一灯具１０２が点灯される。
【００５７】
また、第二電源回路部１３５の電気回路１３５ｂは、第五ケーブル１０６及び第七ケーブル１０８を介して、第二灯具１１０の光源部１１２、及び電気配線部１３２の端子台１３２ａと各々電気的に接続される。そして、端子台１３２ａは、第八ケーブル１０９を介して、外部電源と電気的に接続される。これにより、電気配線部１３２（より具体的には、端子台１３２ａ）を介して、外部電源から第二電気回路部１３５（より具体的には、電気回路１３５ｂ）に入力された電力は、電気回路１３５ｂによって一旦変換される（または減圧される）。その後、第二電気回路部１３５から第二灯具１１０（より具体的には、光源部１１２）に電力が供給されて、第二灯具１１０が点灯される。
【００５８】
以上のような構成からなる第一灯具１０２、第二灯具１１０、及び電源部１０３は、支柱１０４に各々支持される。
【００５９】
具体的には、第一灯具１０２は、前述した照明器具１の灯具２と同様に、支柱１０４における一対の側面部１４１・１４１の間隙において、支持部材１２３を介して、前記一対の側面部１４１・１４１の対向方向（左右方向）を軸方向とする回動軸１２３ａを中心にして回動可能に、継合部１４２の前面１４２ａの上端部側に支持される。
【００６０】
また、電源部１０３は、支柱１０４における一対の側面部１４１・１４１の間隙において、継合部１４２の背面１４２ｂの上端部側に配置される。この際、電源部１０３を構成する第一電気回路部１３１及び第二電源回路部１３５は、例えば矩形箱形状の電源ケース１３３内に、互いに隣接して固設された状態にて、当該電源ケース１３３を介して継合部１４２に支持される。また、電源部１０３を構成する電気配線部１３２は、電源ケース１３３の下方、且つ当該電源ケース１３３と隣接する位置において、継合部１４２に支持されるとともに、一対の側面部１４１・１４１の端部に着脱可能に取付けられる蓋体１３４によって閉塞される。
【００６１】
電源部１０３が継合部１４２の上端部側に配置されることによって、電源部１０３を地面から離して配置することができる。これにより、地面側から舞い上がる粉塵に対する電源部１０３への影響を受けにくくすることができる。
【００６２】
さらに、別実施形態における照明器具１０１において、第二灯具１１０は、支柱１０４における一対の側面部１４１・１４１の間隙において、支持部材１１３を介して、前記一対の側面部１４１・１４１の対向方向（左右方向）を軸方向とする回動軸１１３ａを中心にして回動可能に、電源ケース１３３の上面に支持される。換言すると、第二灯具１１０は、支柱１０４における一対の側面部１４１・１４１の間隙において、電源ケース１３３を介して継合部１４２の背面１４２ｂの上端部に、電源部１０３と隣接して支持される。
【００６３】
第二灯具１１０と電源部１０３とを隣接させて配置することは、第二灯具１１０と第二電源回路部１３５とを接続する第五ケーブル１０６の距離を短く設定することができるため、好ましい。また、第二灯具１１０を電源ケース１３３に支持することは、第五ケーブル１０６を照明器具１０１の外に露出させずに接続させることができるため、好ましい。照明器具１０１の外側に第五ケーブル１０６を露出させないことは、紫外線や雨滴などの外部環境からの影響を第五ケーブル１０６に与えにくく、また、照明器具１０１の運搬や梱包の際に第五ケーブル１０６が邪魔にならずハンドリング性がよい。そして、第五ケーブル１０６は、支柱１０４を介さずに第二灯具１１０及び第二電源回路部１３５と接続させることができ、接続作業が容易となる。
【００６４】
別実施形態における照明器具１０１において、第二灯具１１０は電源部１０３の上面側に配置させたが、これに限定されるものではない。例えば、第二灯具１１０を電源部１０３の下面側に配置してもよい。
また、別実施形態における照明器具１０１において、電源部１０３と隣接するように第一灯具１０２及び第二灯具１１０を配置させたが、これに限定されるものではない。電源部１０３と、第一灯具１０２及び第二灯具１１０とを隣接させない場合には、電源部１０３、第一灯具１０２及び第二灯具１１０それぞれから発生する熱に対して互いに影響を受けにくくすることができる。
【００６５】
別実施形態における照明器具１０１おいて、第二灯具１１０の回動可能範囲は、第一灯具１０２の回動可能範囲とは異なる。第二灯具１１０が電源ケース１３３の上面に支持された場合、回動軸１１３ａを中心とする回動方向Ｐ２に沿って、自由に調整可能な構成となっている。即ち、支柱１０４の上端部は開放されているため、第二灯具１１０の照明光Ｌは、照明器具１０１の上方から背面側の略９０度の範囲が照射可能範囲となる。
このように構成することで、第一灯具１０２によって照明器具１０１の前面側にある遊歩道などを照明し、第二灯具１１０で背面側にある植栽などを同時に照明することができる。
【００６６】
このように、別実施形態における照明器具１０１は、一対の側面部１４１・１４１の間隙における継合部１４２の他方の平面（本実施形態においては、照明器具１０１の背面側となる面）１４２ｂにおいて、電源部１０３と隣接して支持される第二灯具１１０をさらに備える構成となっている。
このような構成を有することにより、別実施形態においては、照明器具１０１の前面側（前側）だけでなく、背面側（後側）にも照明光Ｌを照射することができ、より一層多様な照明効果を得ることができる。
【００６７】
［本実施形態における効果］
本実施形態における照明装置１は、以上のように構成されている。
即ち、照明器具１は、光源部２２を有する灯具２と、前記光源部２２に電力を供給して前記灯具２を点灯させる電源部３と、前記灯具２及び前記電源部３を支持する支柱（器具本体）４とを備える照明器具１であって、前記支柱（器具本体）４は、一方に延出し、且つ互いに対向して配置される一対の板状の側面部４１・４１と、前記一対の側面部４１・４１における、延出方向及び対向方向と直交する幅方向の中途部において、前記幅方向が厚み方向となるようにして配置され、且つ前記一対の側面部４１・４１を継合する継合部４２とを有し、前記灯具２は、前記一対の側面部４１・４１の間隙における前記継合部４２の前面４２ａ（一方の平面）側に配置されるとともに、前記電源部３は、前記一対の側面部４１・４１の間隙における前記継合部４２の背面４２ｂ（他方の平面）側に配置される。
【００６８】
ここで、支柱（器具本体）４においては、例えば図３に示すように、一対の側面部４１・４１の間隙からなる空間部５０を、灯具２が配置される第一空間部５０Ａと、電源部３が配置される第二空間部５０Ｂとに隔絶されるところ、本実施形態においては、一対の側面部４１・４１と、継合部４２とからなる断面視「Ｈ」字形状の部材によって支柱（器具本体）４が構成されることから、前記一対の側面部４１・４１の間隙からなる空間部５０は、継合部４２によって予め二つの空間部（第一空間部５０Ａ及び第二空間部５０Ｂ）に隔絶された状態となっている。継合部４２を隔てて形成される支柱（器具本体）４の二つの空間部の一方に灯具、他方に電源部が配置されるため、それぞれの取付作業を分業化することができる。従って、照明器具の組立作業の効率性を高めることができる。
【００６９】
例えば上述した、断面視「コ」字形状の部材からなる従来の支柱（器具本体）のように、矩形板形状の取付板を別途設けて一対の側面部の間隙からなる空間部を二つの空間部に隔絶する必要がなく、部品点数が減ることから、照明器具１の組立作業の容易化、及びコスト低減を図ることができる。また、従来の断面視「コ」字形状の支柱（器具本体）の場合では、電源部を修理またはメンテナンスを行う場合には、灯具及び取付板を外さねばならず作業が煩雑になってしまう。一方、本実施形態の照明器具１では、支柱（器具本体）の異なる空間部に灯具と電源部がそれぞれ配置されている。これにより、灯具や電源部の修理またはメンテナンス作業を行う場合に、灯具、電源部をそれぞれ独立して修理やメンテナンス作業を行いやすい。
【００７０】
また、従来の「コ」字形状の支柱では、電源部は支柱と取付板とで閉塞される空間に収納していた。ハイパワーな電源部などは電源部が大型する可能性があり、それに伴い、電源部を収容するための空間も大型化させるか、支柱に合わせて電源部のサイズやパワーを制約する必要があった。一方、本実施形態の支柱（器具本体）４において、電源部が配置される空間部は開放（本実施形態では背面側が開放）されているため、支柱（器具本体）４の空間部内に収まらない大きなサイズの電源部も容易に配置することができる。従って、照明器具の電源部の設計自由度を高めることができる。
【００７１】
また、支柱（器具本体）４を断面視「Ｈ」字形状に構成することにより、例えば同程度の厚みからなる、断面視「コ」字形状に構成された従来の器具本体に比べて、断面係数が増加することから剛性の向上を図ることができる。従って、断面視「Ｈ」字形状に支柱（器具本体）を形成する方が、従来の「コ」字形状の支柱（器具本体）よりも側面部が変形しにくい。
【００７２】
また、本実施形態における照明器具１において、前記灯具２は、前記一対の側面部４１・４１の対向方向を軸方向とする回動軸２３ａを中心にして回動可能に、前記継合部４２に支持される構成となっている。
【００７３】
このような構成を有することにより、本実施形態における照明器具１においては、灯具２から照射される照明光Ｌの照射方向を、回動軸２３ａを中心とする回動方向Ｐ１に沿って、自由に調整することができる。
【００７４】
また、別実施形態における照明器具１０１は、前記一対の側面部１４１・１４１の間隙における前記継合部１４２の背面（他方の平面）１４２ｂにおいて、前記電源部１０３と隣接して支持される第二灯具（灯具）１１０をさらに備える構成となっている。
【００７５】
このような構成を有することにより、別実施形態においては、照明器具１０１の前面側（前側）だけでなく、背面側（後側）にも照明光Ｌを照射することができ、より一層多様な照明効果を得ることができる。
【００７６】
また、本実施形態における照明器具１において、前記灯具２は、前記一対の側面部４１・４１と前記継合部４２とによって囲まれた空間部５０（より具体的には、第一空間部５０）内に収納可能に支持される構成となっている。
【００７７】
このような構成を有することにより、例えば組立作業が完了した照明器具１を出荷先へ搬送する場合などにおいて、外部からの衝撃等が不意に灯具２に加えられるのを、一対の側面部４１・４１によって極力防止することができる。
【００７８】
また、本実施形態における照明器具１において、前記灯具２は、前記一対の側面部４１・４１の延出方向に沿って、照明光Ｌを照射可能に支持される構成となっている。
【００７９】
このような構成を有することにより、灯具２から照射された照明光Ｌの一部は、当該灯具２が配置される継合部４２の平面（前面４２ａ）に反射することとなり、間接照明の効果を得ることができる。
【００８０】
また、本実施形態における照明器具１において、前記電源部３は、照明器具１の外部に設けられる外部電源と電気的に接続する電気配線部３２を有し、前記電気配線部３２は、前記一対の側面部４１・４１の端部に着脱可能に取付けられる蓋体３４によって閉塞される構成となっている。
【００８１】
このような構成を有することにより、蓋体３４によって電気配線部３２を閉塞することで、照明器具１の外観について美観を損なうことがなく、また、支柱（器具本体）４から蓋体３４を取外すことで、電気配線部３２と外部電源（図示せず）との配線作業を容易に行うことができる。
【符号の説明】
【００８２】
１    照明器具１
２    灯具
３    電源部
４    支柱（器具本体）
２２    光源部
２３ａ    回動軸
３２    電気配線部
３４    蓋体
４１    側面部
４２    継合部
４２ａ    前面（一方の平面）
４２ｂ    背面（他方の平面）
５０    空間部５０
５０Ａ    第一空間部
５０Ｂ    第二空間部
１０１    照明器具
１０３    電源部
１１０    第二灯具（灯具）
１４１    側面部
１４２    継合部
１４２ｂ    背面（他方の平面）
Ｌ    照明光
【図１】
2019192341.tif 000003
【図２】
2019192341.tif 000004
【図３】
2019192341.tif 000005
【図４】
2019192341.tif 000006
【図５】
2019192341.tif 000007